(57)【要約】【課題】どのようなタイプの軟弱地盤であっても、非常に容易に、かつ効率的に強い地盤に改良することができる地盤改良工法を提供するとともに、そのような地盤改良工法に好適に用いることができる地盤改良工事用補強体を提供する。【解決手段】地盤改良工事用補強体１は、各リング体２ａ，２ｂ，２ｃ，２ｄの外周を、それぞれ、別々の支持アーム３，３，３の外周に溶接することに連結されている。そして、各支持アーム３，３，３が鉛直かつ平行に並んだ状態になっており、各リング体２ａ，２ｂ，２ｃ，２ｄが、各支持アーム３，３，３に対して垂直に、所定の距離を隔てて上下に略等間隔に、かつ、水平に配置された状態になっている。【選択図】図４
2008106549.tif 000002
【特許請求の範囲】
【請求項１】
地盤を掘削して縦穴を形成し、その縦穴内で、掘削した現状土にセメント含有水を加えて固化させることにより柱状改良体を造成する地盤改良工事において、柱状改良体が固化する前に当該柱状改良体の内部に埋め込む地盤改良工事用補強体であって、
複数のリング体を、複数の支持アームによって連結したことを特徴とする地盤改良工事用補強体。
【請求項２】
リング体が扁平であることを特徴とする請求項１に記載の地盤改良工事用補強体。
【請求項３】
最上位置以外の位置に配置されたリング体の内径が、最上位置のリング体よりも小さいことを特徴とする請求項１、または請求項２に記載の地盤改良工事用補強体。
【請求項４】
少なくとも１枚のリング体の外径が、他のリング体よりも大きいことを特徴とする請求項１〜３のいずれかに記載の地盤改良工事用補強体。
【請求項５】
少なくとも１枚のリング体の外周縁および内周縁が、支持アームと連結されていることを特徴とする請求項１〜４のいずれかに記載の地盤改良工事用補強体。
【請求項６】
支持アームが少なくとも１枚のリング体を貫通しており、その支持アームにリング体が固定されていることを特徴とする請求項１〜５のいずれかに記載の地盤改良工事用補強体。
【請求項７】
少なくとも１枚のリング体が、螺旋状に形成されていることを特徴とする請求項１〜６のいずれかに記載の地盤改良工事用補強体。
【請求項８】
地盤をオーガーで掘削して縦穴を形成し、その縦穴内で、掘削した現状土とセメント含有水とを混練して改良土を生成し、その改良土内に、請求項１〜７のいずれかに記載の地盤改良工事用補強体を挿入し、しかる後、その挿入された地盤改良工事用補強体ごと改良土を固化させることによって地中に柱状改良体を造成することを特徴とする地盤改良工法。
【請求項９】
先端の尖った棒状の押込部材の先端を、最上位置以外の位置に配置されたリング体の内周縁に係合させた状態で、前記押込部材により、地盤改良工事用補強体を固化前の柱状改良体内に鉛直に押し込むことを特徴とする請求項８に記載の地盤改良工法。
【請求項１０】
押込部材が螺旋翼を有するものであり、
固化前の柱状改良体内に押し込まれた押込部材を旋回させながら引き抜くことを特徴とする請求項８、または請求項９に記載の地盤改良工法。
【発明の詳細な説明】
【技術分野】
【０００１】
本発明は、軟弱地盤を強い地盤に改良するための地盤改良工法に関するものである。
【背景技術】
【０００２】
地盤改良工法として、出願人は、地盤をオーガーで掘削して縦穴を形成し、掘削した現状土にセメント系固化材を混合して改良土を生成し、改良土と水またはセメント含有水とを縦穴内でスクリューオーガーにより混練してスラリー状の湿式改良土を生成し、その湿式改良土中に鋼管杭を埋め込んだ後に湿式改良土を固化させることによって、地中に柱状改良体を造成する工法について提案した（特開２００３−３４６２号）。かかる地盤改良工法によれば、強度の高い柱状改良体を造成することができ、軟弱地盤を非常に容易に強化することが可能となる。
【０００３】
【特許文献１】特開２００３−３４６２号公報
【発明の開示】
【発明が解決しようとする課題】
【０００４】
しかしながら、上記した地盤改良工法においては、改良する地盤によっては、鋼管杭と柱状改良体との付着強度が必ずしも十分とは言えない場合があり、改良された地盤における建設工事によっては、改良地盤の強度が不十分となる事態も起こり得る。また、柱状改良体内に埋設させる鋼管杭の重量が大きいため、地盤改良工事が大掛かりなものとなってしまう場合がある。
【０００５】
本発明の目的は、どのようなタイプの軟弱地盤であっても、非常に容易に、かつ効率的に強い地盤に改良することができる地盤改良工法を提供することにあり、そのような地盤改良工法に好適に用いることができる地盤改良工事用補強体を提供することにある。
【課題を解決するための手段】
【０００６】
かかる本発明の内、請求項１に記載された発明は、地盤を掘削して縦穴を形成し、その縦穴内で、掘削した現状土にセメント含有水を加えて固化させることにより柱状改良体を造成する地盤改良工事において、柱状改良体が固化する前に当該柱状改良体の内部に埋め込む地盤改良工事用補強体であって、複数のリング体を、複数の支持アームによって連結したことを特徴とするものである。
【０００７】
なお、リング体は、外径が１００ｍｍ以上１，０００ｍｍ以下であり、厚みが５ｍｍ以上３５ｍｍ以下であると、柱状改良体の強度を効果的に高めることができる上、補強体の運搬が容易となるので好ましい。また、リング体を所謂ドーナッツ状に形成する場合には、外径と内径との差を５０ｍｍ以上９００ｍｍ以下とするのが好ましい、一方、支持アームは、単純な円柱状の鉄筋に限定されず、異形鉄筋（所定間隔で大径の節を設けた鉄筋）等を好適に用いることができる。また、支持アームとして鉄筋を用いる場合には、支持アームの直径を６ｍｍ以上６０ｍｍ以下となるように調整すると、柱状改良体の強度を効果的に高めることができる上、補強体の運搬が容易となるので好ましい。
【０００８】
請求項２に記載された発明は、請求項１に記載された発明において、リング体が扁平であることを特徴とするものである。
【０００９】
請求項３に記載された発明は、請求項１、または請求項２に記載された発明において、最上位置以外の位置に配置されたリング体の内径が、最上位置のリング体よりも小さいことを特徴とするものである。
【００１０】
請求項４に記載された発明は、請求項１〜３のいずれかに記載された発明において、少なくとも１枚のリング体の外径が、他のリング体よりも大きいことを特徴とするものである。
【００１１】
請求項５に記載された発明は、請求項１〜４のいずれかに記載された発明において、少なくとも１枚のリング体の外周縁および内周縁が、支持アームと連結されていることを特徴とするものである。
【００１２】
請求項６に記載された発明は、請求項１〜５のいずれかに記載された発明において、支持アームが少なくとも１枚のリング体を貫通しており、その支持アームにリング体が固定されていることを特徴とするものである。なお、支持アームにリング体を固定する方法としては、溶接やボルト止め等の方法を採用することができる。
【００１３】
請求項７に記載された発明は、請求項１〜６のいずれかに記載された発明において、少なくとも１枚のリング体が、螺旋状に形成されていることを特徴とするものである。
【００１４】
請求項８に記載された発明は、地盤をオーガーで掘削して縦穴を形成し、その縦穴内で、掘削した現状土とセメント含有水とを混練して改良土を生成し、その改良土内に、請求項１〜７のいずれかに記載の地盤改良工事用補強体を挿入し、しかる後、その挿入された地盤改良工事用補強体ごと改良土を固化させることによって地中に柱状改良体を造成することを特徴とする地盤改良工法である。
【００１５】
なお、本発明の地盤改良工法においては、柱状改良体の直径と補強体のリング体の直径との比率を１：１〜５：１の範囲内で調整するのが好ましい。柱状改良体の直径と補強体のリング体の直径との比率を上記した範囲内に調整することによって、柱状改良体の強度を効率的に高めることが可能となる。
【００１６】
請求項９に記載された発明は、請求項８に記載された発明において、先端の尖った棒状の押込部材（所謂ヤットコ等）の先端を、最上位置以外の位置に配置されたリング体の内周縁に係合させた状態で、前記押込部材により、地盤改良工事用補強体を固化前の柱状改良体内に鉛直に押し込むことを特徴とするものである。
【００１７】
請求項１０に記載された発明は、請求項８、または請求項９に記載された発明において、押込部材が螺旋翼を有するものであり、固化前の柱状改良体内に押し込まれた押込部材を旋回させながら引き抜くことを特徴とするものである。
【発明の効果】
【００１８】
請求項１の地盤改良工事用補強体は、複数のリング体を支持アームによって連結したものであるので、固化前の柱状改良体の内部に埋め込んで柱状改良体を固化させた場合に、柱状改良体との付着強度が大きい上、リング体が柱状改良体の鉛直支持力を高め、支持アームが柱状改良体の水平支持力を高めるので、柱状改良体の強度を効果的に増大させることができる。したがって、請求項１の地盤改良工事用補強体によれば、柱状改良体の径を大きくしなくても、軟弱地盤を効率的に強化することが可能となる。また、軽量で取扱いが容易であるので、請求項１の地盤改良工事用補強体を用いれば、地盤改良工事が容易なものとなる。
【００１９】
請求項２の地盤改良工事用補強体は、リング体が扁平に形成されているので、固化前の柱状改良体の内部に埋め込んで柱状改良体を固化させた場合に、柱状改良体との接合強度が非常に大きい上、リング体が柱状改良体の鉛直支持力を大幅に高めるので、柱状改良体の強度をきわめて効果的に増大させることが可能となる。
【００２０】
請求項３の地盤改良工事用補強体は、最上位置以外の位置に配置されたリング体の内径が最上位置のリング体よりも小さいため、先端の尖った棒状の押込部材の先端を、内径の小さなリング体の内周縁に係合させた状態で、当該押込部材により固化前の柱状改良体内に押し込むことができるので、非常に効率的に地盤改良工事を行うことができる。また、地盤改良工事用補強体を固化前の柱状改良体内に鉛直に押し込むことが可能となる。
【００２１】
請求項４の地盤改良工事用補強体は、少なくとも１枚のリング体の外径が他のリング体よりも大きいため、柱状改良体中に埋設させた場合に、その外径の大きなリング体を埋設した部分の鉛直支持力がきわめて高いものとなる。したがって、請求項３の地盤改良工事用補強体によれば、柱状改良体の強度を、強度の高い地層に合わせて部分的に高めることが可能となる。
【００２２】
請求項５の地盤改良工事用補強体は、少なくとも１枚のリング体の外周縁および内周縁を支持アームによって連結したものであるので、補強体自体の組み付け強度が高いため、固化前の柱状改良体の内部に埋め込んで柱状改良体を固化させることにより、柱状改良体の強度を飛躍的に高めることができる。
【００２３】
請求項６の地盤改良工事用補強体は、支持アームが少なくとも１枚のリング体を貫通した状態で固定されているので、請求項４の地盤改良工事用補強体と同様に、補強体自体の組み付け強度が高いため、固化前の柱状改良体の内部に埋め込んで柱状改良体を固化させることにより、柱状改良体の強度を飛躍的に高めることができる。
【００２４】
請求項７の地盤改良工事用補強体は、少なくとも１枚のリング体が、螺旋状に形成されているため、固化前の柱状改良体の内部に埋め込む際に回転させることにより、非常に容易に柱状改良体内に埋め込むことができる。
【００２５】
請求項８の地盤改良工法によれば、造成される柱状改良体の径を大きくしなくても、効果的に地盤を強化することが可能となる。したがって、従来の地盤改良工法に比べて、従来よりも安価かつ容易に地盤を強化することができる。
【００２６】
請求項９の地盤改良工法によれば、押込部材を利用して地盤改良工事用補強体を固化前の柱状改良体内に鉛直に押し込むことが可能となるので、改良地盤における水平支持力および鉛直支持力を効果的に高めることができる。
【００２７】
請求項１０の地盤改良工法によれば、柱状改良体内から引く抜く際に押込部材を回転させることにより（たとえば、上方から下方にかけて螺旋翼が時計回りに設けられている場合には反時計回りに回転させることにより）押込部材の周囲に存在するスラリー状に改良された改良土が締め固められ、引き抜き後の穴が速やかに消失するので、柱状改良体の強度を効果的に高めることができ、軟弱地盤の強度を効率的に高めることができる。
【発明を実施するための最良の形態】
【００２８】
以下、本発明の地盤改良工事用補強体（以下、単に補強体という）、およびその補強体を利用した地盤改良工法について、図面に基づいて詳細に説明する。図１〜図４は、それぞれ、本発明に係る補強体を示したものであり、補強体１は、４枚のリング体２ａ，２ｂ，２ｃ，２ｄ、および、３つの支持アーム３，３，３によって構成されている。
【００２９】
最上位置のリング体２ａ、上から２番目のリング体２ｂ、上から３番目のリング体２ｃは、いずれも厚さが約１９ｍｍの鉄板を切断することによって外径３５０ｍｍで内径２５０ｍｍのリング状に形成されている。また、最下位置のリング体２ｄは、リング体２ａ，２ｂ，２ｃと同様に、厚さが約１９ｍｍの鉄板を切断することによって形成されており、外径が３５０ｍｍで、内径がリング体２ａ，２ｂ，２ｃよりやや小さく、２５０ｍｍに設計されている。加えて、最上位置のリング体２ａの内周縁には、リフト時に押込部材（ヤットコ）の先端と係合させるための矩形の切り欠き４が設けられている。そして、各リング体２ａ，２ｂ，２ｃ，２ｄとも、約２２ｍｍφの円弧状の３つの連結用切り欠き５，５，５が、外周縁に等間隔で設けられている。なお、各連結用切り欠き５，５，５は、支持アーム３の水平断面の約１／２の大きさ（面積）を有している。一方、各支持アーム３は、直径が約２２ｍｍの異形鉄筋によって形成されており、３，０００ｍｍの長さを有している。
【００３０】
補強体１は、各リング体２ａ，２ｂ，２ｃ，２ｄの外周の連結用切り欠き５，５，５を、それぞれ、別々の支持アーム３，３，３の外周に溶接することに連結されている。そして、各支持アーム３，３，３が鉛直かつ平行に並んだ状態になっており、各リング体２ａ，２ｂ，２ｃ，２ｄが、各支持アーム３，３，３に対して垂直に、所定の距離を隔てて上下に略等間隔に、かつ、水平に配置された状態になっている。また、各支持アーム３，３，３の先端が、最上位置のリング体２ａの上方に、約５０ｍｍずつ突出した状態になっており、各支持アーム３，３，３の下端が、最下位置のリング体２ｄの下方に、約５０ｍｍずつ突出した状態になっている。
【００３１】
上記の如く構成された補強体１を用いた軟弱地盤の改良工事の一例について、図５に基づいて説明する。軟弱地盤の改良工事を行う場合には、掘削機械１４およびプラント車（図示せず）を施工現場に搬入し、搬入した掘削機械１４にオーガー１１を取り付けて、施工位置にセットする。そして、プラント車によって供給されるセメントスラリー（セメントと水との混合物）を、回転中のオーガー１１の刃先から噴出させながらオーガー１１を回転させることによって地盤を掘削し、所定の大きさ（たとえば、直径約６００ｍｍφ、深さ約３，５００ｍｍ）の縦穴１２を形成する（図５（ａ）参照）。なお、上記の如く地盤を掘削する際には、掘削機械１４に搭載したリーダー１３を利用して、正確に鉛直な（地表に対して正確に垂直な）縦穴１２を形成する。そのように縦穴１２を掘削することによって、縦穴１２の内部で、セメントスラリーと土壌とが均一に混合された柱状改良体（固化前）１６が形成される。
【００３２】
しかる後、掘削機械１４に取り付けられているオーガー１１をヤットコ１５と取り替え、そのヤットコ１５を利用して、まだ硬化していない柱状改良体１６の内部に、補強体１を押し込む。図６は、ヤットコ１５の先端部分を示したものであり、ヤットコ１５は、棒状に形成されており、先端部分が尖っている。また、先端際の部分には、帯状の螺旋翼１７が螺旋状（上方から下方にかけて反時計回りの螺旋状）に設けられている。また、ヤットコの先端際の外周面には、補強体１と係合させるための係合突起１８が設けられている。
【００３３】
ヤットコ１５を利用して柱状改良体１６の内部へ補強体１を押し込む際には、ヤットコ１５と補強体１とを係合させる。ヤットコ１５と補強体１との係合は、ヤットコ１５の先端際の係合突起１８を、最上位置のリング体２ａの切り欠き４の部分からリング体２ａの下側まで通過させた後に、ヤットコ１５を僅かに回転させることによって行われる。そのようにヤットコ１５と補強体１とを係合させた後には、ヤットコ１５を、その先端が柱状改良体１６の中心（直径方向の中心）の上方に位置するように配置させる。
【００３４】
しかる後に、ヤットコ１５を柱状改良体１６内に鉛直に（地表面に対して垂直に）に降下させる。そのように、ヤットコ１５を降下させると、ヤットコ１５の先端が、補強体１のリング体２ｂ，２ｃの内部を順次通過し、補強体１の最下位置にあるリング体２ｄの内周縁と係合する。そして、さらにヤットコ１５を降下させると、ヤットコ１５とともに補強体１が柱状改良体１６内に押し込まれる（図５（ｂ）参照）。なお、補強体１を係合させたヤットコ１５は、リーダー１３によって鉛直方向に正確に押し込まれる。
【００３５】
そして、十分な深さまで補強体１を押し込んだ後には、ヤットコ１５を時計回りに回転させながら、柱状改良体１６の内部から引き抜く。そのようにヤットコ１５を回転させながら引き抜くことによって、セメントスラリーによってスラリー状になった改良土が締め固められて、ヤットコ１５を引き抜いた後の穴が速やかに消失する（図５（ｃ）参照）。なお、ヤットコ１５の先端が地表際まで到達した際には、ヤットコ１５の先端際の係合突起１８を、補強体１のリング体２ａの切り欠き４の部分からリング体２ａの上側まで通過させることによって、ヤットコ１５と補強体１との係合状態を解除する。しかる後、十分な時間をかけて改良土を養生して固化させる。かかる一連の作業によって、地中に所定の深さの柱状改良体（ソイルコラム）１６が造成されて、周囲の軟弱地盤が強化される。
【００３６】
補強体１は、上記の如く、複数の扁平なリング体２ａ，２ｂ，２ｃ，２ｄを、複数の支持アーム３，３，３によって連結したものであるので、固化前の柱状改良体１６の内部に埋め込んで柱状改良体１６を固化させた場合に、柱状改良体１６との接合強度が大きい上、リング体２ａ〜２ｄが柱状改良体１６の鉛直支持力を高め、支持アーム３，３・・が柱状改良体の水平支持力および鉛直支持力を高めるので、柱状改良体１６の強度を効果的に増大させることができる。したがって、補強体１によれば、柱状改良体１６の径を大きく設計しなくても、軟弱地盤を効率的に強化することが可能となる。また、補強体１は、軽量で取扱いが容易であるので、地盤改良工事を容易なものとすることができる。
【００３７】
また、補強体１は、リング体２ａ〜２ｄが扁平に形成されているので、固化前の柱状改良体１６の内部に埋め込んで柱状改良体１６を固化させた場合に、柱状改良体１６との付着強度が非常に大きい上、リング体２ａ〜２ｄが柱状改良体１６の鉛直支持力を大幅に高めるので、柱状改良体１６の強度をきわめて効果的に増大させることができる。
【００３８】
さらに、補強体１は、最下位置に配置されたリング体２ｄの内径が、他のリング体２ｂ，２ｃ，２ｄよりも小さくなっているため、ヤットコ１５の先端をリング体２ｄの内周縁に係合させた状態で、ヤットコ１５により固化前の柱状改良体１６内に押し込むことができるので、非常に効率的に地盤改良工事を行うことができる。また、補強体１を固化前の柱状改良体１６内に鉛直に押し込むことが可能となる。
【００３９】
一方、上記実施形態における補強改良工法は、地盤をオーガー１１で掘削して縦穴１２を形成し、その縦穴１２内で、掘削した現状土とセメント含有水とを混練して改良土を生成し、その改良土内に、補強体１を挿入し、しかる後、その挿入された補強体１ごと改良土を固化させることによって地中に柱状改良体１６を造成するものである。それゆえ、かかる地盤改良工法によれば、柱状改良体１６の径を太くしなくても、効果的に地盤を強化することが可能となる。したがって、従来の地盤改良工法に比べて、従来よりも安価かつ容易に地盤を強化することができる。
【００４０】
また、上記実施形態における補強改良工法は、ヤットコ１５の先端を、最下位置に配置されたリング体２ｄの内周縁に係合させた状態で、そのヤットコ１５により、補強体１を固化前の柱状改良体１６内に鉛直に押し込むものである。したがって、かかる地盤改良工法によれば、ヤットコ１５を利用して補強体１を固化前の柱状改良体１６内に鉛直に押し込むことが可能となるので、改良地盤における鉛直支持力を効果的に高めることができる。
【００４１】
さらに、上記実施形態における補強改良工法は、ヤットコ１５が螺旋翼１７を有するものであり、固化前の柱状改良体１６内に押し込まれたヤットコ１５を旋回させながら引き抜くものであるので、かかる地盤改良工法によれば、柱状改良体１６内から引く抜く際にヤットコ１５の周囲に存在するスラリー状に改良された改良土が締め固められ、引き抜き後の穴が速やかに消失するので、柱状改良体１６の強度を効果的に高めることができ、軟弱地盤の強度を効率的に高めることができる。
【００４２】
なお、本発明の補強体の構成は、上記した各実施形態の態様に何ら限定されるものではなく、リング体、支持アーム等の形状・構造等の構成を、本発明の趣旨を逸脱しない範囲で、必要に応じて適宜変更できる。また、本発明の地盤改良工法の構成も、上記実施形態の態様に何ら限定されず、押込部材の形状等の構成を、必要に応じて適宜変更することができる。
【００４３】
たとえば、補強体は、リング体および支持アームが鉄によって形成されたものに限定されず、リング体、支持アームの少なくとも一部がステンレス、鋳物や鍛造等の別の素材によって形成されたものに変更することも可能である。加えて、少なくとも一部の表面に、防錆び塗装等の塗装を施すことも可能である。
【００４４】
また、補強体は、上記実施形態の如く、複数のリング体を３本のアームによって連結したものに限定されず、２本のアームによって連結したものや、図８の如く、４本以上のアームによって連結したものに変更することも可能である。また、補強体を連結する支持アームには、図８の如く、筋交い２１，２１・・を付設することも可能である。そのように、複数のリング体をより多くの支持アームで連結したり、支持アームに筋交いを付設したりすることによって、補強体の強度をより高めることが可能となり、柱状改良体の強度を一層効率的に向上させることが可能となる。
【００４５】
さらに、補強体は、上記実施形態の如く、リング体の外周縁を支持アームと連結させたものに限定されず、図９の如く、リング体の内周縁を支持アームと連結させたもの、支持アームをリング体に貫設したもの（支持アームがリング体を貫通した状態で固定されたもの）や、図１０の如く、リング体の外周縁および内周縁を支持アームと連結させたもの等に変更することも可能である。そのように、複数のリング体の内周縁および外周縁を支持アームと連結させたり、支持アームをリング体に貫設したりすることによって、補強体の強度をより高めることが可能となり、柱状改良体の強度を一層効率的に向上させることが可能となる。
【００４６】
また、補強体は、上記実施形態の如く、すべてのリング体の大きさが同一であるものに限定されず、図１１の如く、一部のリング体の大きさが異なるものや、図１２の如く、すべてのリング体の大きさが互いに異なるもの等に変更することも可能である。そのように一部のリング体を大きくすることによって、その部分の鉛直支持力を高くすることが可能となり、地盤の状態に状態に合わせて柱状改良体を部分的に補強することが可能となる。
【００４７】
また、補強体は、上記実施形態の如く、すべてのリング体を円柱状の支持アームによって連結したものに限定されず、図１３の如く、断面がＬ字状で長尺な鉄鋼、金属パイプやＨ型鋼等に変更することも可能である。
【００４８】
加えて、補強体は、上記実施形態の如く、すべてのリング体を同一本数の支持アームによって連結したものに限定されず、一部のリング体同士を連結する支持アームの本数を増減させることも可能である。図１４は、かかる構成を採用することにより、上部に位置したリング体同士を連結する支持アームの本数を下部に位置したリング体同士を連結する支持アームの本数より多くした補強体を示したものである。このように上部のリング体同士を連結する支持アームの本数を増加させることにより、補強体の上部の強度を高めて、柱状改良体の上部のみの強度を高めることが可能となるとともに、水平支持力のあまり加わらない柱状改良体の下部の強度を不必要に高める事態を防止して、安価で効率的な地盤改良工事を行うことが可能となる。
【００４９】
また、補強体は、上記実施形態の如く、すべてのリング体が単純な平板状であるものに限定されず、図１５の如く、少なくとも一部のリング体が螺旋状に形成されているもの（帯状のリング体の一部が直径方向に切断されており、その切断部分の端縁同士が上下に位置するように、リング体全体が螺旋を構成しているもの）に変更することも可能である。かかる構成を採用した場合には、固化前の柱状改良体の内部に押し込む際に、回転させることによって非常に容易に押し込むことが可能となり、地盤改良工事を効率的に進めることが可能となる。
【００５０】
さらに、補強体は、上記実施形態の如く、すべてのリング体が連続な周状面を形成しているものに限定されず、一部に切り込みが形成されているものや、図１６の如く、リング体が分割状に形成されているもの等に変更することも可能である。そのように、リング体の一部に切り込みを設けたり、リング体を分割状に形成したりすることによって、柱状改良体内に柱状改良体内に押し込む際の抵抗が低減され、地盤改良工事をスムーズに進めることが可能となる。
【００５１】
加えて、補強体は、上記実施形態の如く、すべてのリング体が中心に１つの穴を穿設した所謂ドーナッツであるものに限定されず、柱状改良体への押し込み時に利用する押込部材の先端の形状に合わせて、当該押込部材と係合させるリング体を、図１７の如く、中心から等間隔の位置に複数の穴（円形あるいはその他の形状の穴）を穿設したものや、中心に円形以外の形状の穴を形成したもの等に変更することも可能である。
【００５２】
また、補強体は、支持アームとしてネジ鉄筋を利用し、当該ネジ鉄筋と螺合するナット部材によって、リング体を固定するものに変更することも可能である。図１８は、かかる変更例を示したものであり、補強体３１は、複数の支持アーム挿通孔を穿設した扁平なリング体３２，３２・・と、支持アームとして機能するネジ溝を周設したネジ鉄筋３３，３３・・とによって構成されている。そして、リング体３２の各支持アーム挿通孔をネジ鉄筋３３が挿通した状態になっており、リング体３２の上下位置において、ネジ鉄筋３３のネジ溝と螺合する２個のナット部材３４によって、リング体３２が固定された状態になっている。補強体３１を上記の如く構成した場合には、補強体３１の組み付けがきわめて容易なものとなる。なお、補強体を上記の如く構成する場合には、共英製鋼株式会社製「タフネジバー」等を好適に用いることができる。加えて、補強体の支持アームを上記の如きネジ鉄筋とした場合には、地盤改良工事の途中で支持アームを継ぎ足す際に、ナット部材を利用して、新たなネジ鉄筋を非常に容易に継ぎ足す（接続する）ことが可能となる。
【００５３】
一方、本発明の補強体を利用した地盤改良工法は、上記実施形態の如く、単一の補強体のみを柱状改良体内に埋設させるもののみに限定されず、補強したい地盤の状態に合わせて、工事の途中で、補強体の支持アームを継ぎ足したり、リング体を付設したりすることも可能である。なお、工事の途中で、補強体の支持アームを継ぎ足す方法は、図１９の如く、最上位置のリング体の表面より上方に突出した支持アームの上端に、新たな支持アームを継ぎ足す（溶接する）方法に限定されず、最上位置のリング体の表面に、新たな支持アームを継ぎ足す（溶接する）方法や、最上位置のリング体に、新たな支持アームを貫設する（溶接する）方法等を採用することもできる。
【産業上の利用可能性】
【００５４】
本発明の補強体は、上記の如く優れた効果を奏するものであるので、柱状改良体を形成する地盤改良工事に好適に用いることができる。また、本発明の補強体を用いた地盤改良工法は、上記の如く優れた効果を奏するものであるので、軟弱地盤を安価に効果的に補強する方法として広く用いることができる。
【図面の簡単な説明】
【００５５】
【図１】補強体の正面図である。
【図２】補強体の平面図である。
【図３】補強体の底面図である。
【図４】補強体の斜視図である。
【図５】補強体を用いた地盤改良工事の手順を示す説明図である。
【図６】ヤットコにより補強体を改良体内に埋設する様子を示す説明図である。
【図７】補強体の変更例を示す斜視図である。
【図８】補強体の変更例を示す斜視図である。
【図９】補強体の変更例を示す斜視図である。
【図１０】補強体の変更例を示す斜視図である。
【図１１】補強体の変更例を示す斜視図である。
【図１２】補強体の変更例を示す斜視図である。
【図１３】補強体の変更例を示す斜視図である。
【図１４】補強体の変更例を示す斜視図である。
【図１５】補強体の変更例を示す斜視図である。
【図１６】補強体の変更例を示す斜視図である。
【図１７】リング体の変更例を示す斜視図である。
【図１８】補強体の変更例を示す斜視図である（ａは、ナット部材によってリング体を締着する前の状態を示したものであり、ｂは、ナット部材によってリング体を締着した後の状態を示したものである）。
【図１９】補強体の地盤改良工事の変更例を示す斜視図である。
【符号の説明】
【００５６】
１・・補強体、２ａ，２ｂ，２ｃ，２ｄ・・リング体、３・・支持アーム、１１・・オーガー、１５・・ヤットコ（押込部材）、１６・・柱状改良体、１７・・螺旋翼。
【図１】
2008106549.tif 000003
【図２】
2008106549.tif 000004
【図３】
2008106549.tif 000005
【図４】
2008106549.tif 000006
【図５】
2008106549.tif 000007
【図６】
2008106549.tif 000008
【図７】
2008106549.tif 000009
【図８】
2008106549.tif 000010
【図９】
2008106549.tif 000011
【図１０】
2008106549.tif 000012
【図１１】
2008106549.tif 000013
【図１２】
2008106549.tif 000014
【図１３】
2008106549.tif 000015
【図１４】
2008106549.tif 000016
【図１５】
2008106549.tif 000017
【図１６】
2008106549.tif 000018
【図１７】
2008106549.tif 000019
【図１８】
2008106549.tif 000020
【図１９】
2008106549.tif 000021